(57)【要約】【課題】流体を遠心分離機システムの中に導くための管または導管を支持するための装置、システム、および方法を提供すること。【解決手段】本開示は、とりわけ、円筒形要素（例えば、軸受（９０））を受け取るための支持体および／またはクランプ（６０）を対象とする実施形態を提示し、支持体および／またはクランプ（６０）は、基部（６２）と、基部（６２）から突出し、受取区域（６６）を確立するように相互から離間された一対の対向受取部材（６４）であって、受取区域（６６）は、その中に円形物体、円筒形物体、および球形物体のうちの少なくとも１つを除去可能に受け取るためのサイズおよび形状を伴って構成される、一対の対向受取部材（６４）と、受取区域（６６）の少なくとも一部内に配列される戻り止め（２４）および磁石（４０）のうちの少なくとも１つを含むことができる。【選択図】なし【特許請求の範囲】
【請求項１】
本明細書に記載の発明。
【発明の詳細な説明】
【技術分野】
【０００１】
（関連出願への相互参照）
本願は、２０１５年５月５日に出願された同時係属の米国仮特許出願第６２／１５７，３０９号の非仮特許出願であり、米国仮特許出願第６２／１５７，３０９号の利益を主張し、それにより、その全開示が、参照によって全体として本明細書に援用される。
【０００２】
（技術分野）
本開示の実施形態は、概して、流体を遠心分離機システムの中に導くための管または導管を支持するための装置、システム、および方法に関する。
【背景技術】
【０００３】
（背景）
遠心分離機は、密度勾配を流体内に誘発することによって、流体を複数の流体成分に分離するために使用される。１つの公知の遠心分離機構成は、遠心分離機ボウルと、遠心分離機ボウルの上部から延在する駆動管とを含む消耗品を使用し、複数の別個の導管が、この駆動管内に配置される。流体は、遠心分離機ボウルの中に、これらの導管のうちの１つを通して導かれてもよく、種々の流体成分が、遠心分離機ボウルから、これらの導管のうちの１つまたは複数のものを通して除去されてもよい。いずれの場合も、この遠心分離機ボウルは、回転フレームに対して固着されてもよく、駆動管は、遠心分離の間、回転フレームにクランプまたは別様に固着されてもよい。
【発明の概要】
【課題を解決するための手段】
【０００４】
（概要）
本開示のいくつかの実施形態によると、円筒形要素を受け取るための支持体（および／またはクランプ）が、提供され、支持体（および／またはクランプ）は、基部と、基部から突出する一対の対向受取部材であって、一対の対向受取部材は、受取区域を確立するように相互から離間され、受取区域は、その中に円形物体、円筒形物体、および球形物体のうちの少なくとも１つを受け取るためのサイズおよび形状を伴って構成されている、一対の対向受取部材と、受取区域の少なくとも一部内に配列される戻り止めおよび磁石のうちの少なくとも１つであって、戻り止めおよび／または磁石は、物体を受取区域内に維持することと、物体の受取と関連付けられた音を確立することとのうちの少なくとも１つを行うように構成されている、戻り止めおよび磁石のうちの少なくとも１つとを備えてもよい。
【０００５】
いくつかの実施形態は、以下の特徴／機能性のうちの１つおよび／または別のものを含んでもよい。
−そのような支持体の受取区域は、物体を除去可能に受け取るように構成されてもよい。−戻り止めおよび磁石のうちの少なくとも１つが物体を受取区域内に維持するように構成されると、そのような構成は、受取区域内における物体の一時的維持に対応する。
−ロックアウト手段であって、いくつかの実施形態では、ロックアウト手段は、物体が受取区域内に係止されるように物体が受け取られると、２つの受取部材間の距離に実質的に橋架するように構成されている係止アームを備える、ロックアウト手段。
−前述の係止アームは、物体を受取区域内に除去可能に係止してもよい。
−前述の係止アームは、受取部材の一方に対して枢動する第１の端部と、受取部材の他方内または上に除去可能に係止する第２の端部とを含んでもよい。
−基部ならびに受取部材の一方および／または他方のうちの少なくとも１つの少なくとも一部を囲繞するように構成されている円周方向支持部材。
−基部ならびに受取部材の一方および／または他方のうちの少なくとも１つ上に提供されている面取り面および斜面のうちの少なくとも１つであって、面取り面および斜面は、受取区域内への物体の装填を補助するように構成されている、面取り面および斜面のうちの少なくとも１つ。
−物体は、軸受であってもよい。
−基部は、開口部内に受け取られるために構成されている支柱を含み得るまたは備え得る。
−ガイドピンを受け取るために基部内に配列されている陥凹。
−構造の陥凹内への受取のために基部から突出するガイドピン。
【０００６】
いくつかの実施形態では、遠心分離機システムが、提供され、遠心分離機システムは、中心軸に沿ってスピンするように構成されている遠心分離機ボウルと、最初に遠心分離機ボウルの中心から中心軸に沿って突出する管と、管に沿って配列されている少なくとも１つの軸受であって、管は、軸受の中心内に配列されるように構成されている、少なくとも１つの軸受と、容器の少なくとも一部を囲繞する支持アームまたは構造と、実施形態のうちの１つおよび／または別のものに従った少なくとも１つの支持体であって、少なくとも支持アーム上に配列されている少なくとも１つの支持体とを備えてもよい。少なくとも１つの支持体はそれぞれ、ボウルが回転すると、管が軸受内で回転し、軸受の外側部分が支持体に添着されるように、管および軸受のうちの少なくとも１つを受け取るように構成されている。
【０００７】
いくつかの実施形態では、管を遠心分離機システム内に接続するための方法が、提供され、本方法は、遠心分離機ボウルを有する遠心分離機システムを提供することと、管であって、その上に配列される少なくとも１つの軸受がその上に配列されている管を提供することと、前述のものに従った支持体を提供することと、各軸受を支持体の斜面および／または面取り面の側面に整合させることと、軸受の縁が受取区域内に受け取られるまで、軸受の側面が斜面および／または面取り面に沿って進むように、各軸受を受取区域の中に押動および／または引動することとを含む。
本発明は、例えば、以下を提供する。
（項目１）
円筒形要素を受け取るための支持体および／またはクランプであって、
基部と、
前記基部から突出する一対の対向受取部材であって、前記一対の対向受取部材は、受取区域を確立するように相互から離間され、前記受取区域は、その中に円形物体、円筒形物体、および球形物体のうちの少なくとも１つを受け取るためのサイズおよび形状を伴って構成されている、一対の対向受取部材と、
前記受取区域の少なくとも一部内に配列されている戻り止めおよび磁石のうちの少なくとも１つであって、前記戻り止めおよび／または磁石は、前記物体を前記受取区域内に維持することと、前記物体の受取と関連付けられた音を確立することとのうちの少なくとも１つを行うように構成されている、戻り止めおよび磁石のうちの少なくとも１つと
を備える、支持体および／またはクランプ。
（項目２）
前記受取区域は、前記物体を除去可能に受け取るように構成されている、項目１に記載の支持体。
（項目３）
前記戻り止めおよび磁石のうちの少なくとも１つが前記物体を前記受取区域内に維持するように構成されると、そのような構成は、前記受取区域内における前記物体の一時的維持に対応する、項目１に記載の支持体。
（項目４）
ロックアウト手段をさらに備える、項目１に記載の支持体。
（項目５）
前記ロックアウト手段は、前記物体が前記受取区域内に係止されるように前記物体が受け取られると、前記２つの受取部材間の距離に実質的に橋架するように構成されている係止アームを備える、項目４に記載の支持体。
（項目６）
前記係止アームは、前記物体を前記受取区域内に除去可能に係止する、項目４に記載の支持体。
（項目７）
前記係止アームは、前記受取部材の一方に対して枢動する第１の端部と、前記受取部材の他方内または上に除去可能に係止する第２の端部とを含む、項目５に記載の支持体。
（項目８）
前記基部ならびに前記受取部材の一方および／または他方のうちの少なくとも１つの少なくとも一部を囲繞するように構成されている円周方向支持部材をさらに備える、項目１〜７のいずれかに記載の支持体。
（項目９）
前記基部ならびに前記受取部材の一方および／または他方のうちの少なくとも１つ上に提供されている面取り面および斜面のうちの少なくとも１つをさらに備え、前記面取り面および斜面は、前記受取区域内への前記物体の装填を補助するように構成されている、項目１〜８のいずれかに記載の支持体。
（項目１０）
前記物体は、軸受である、項目１〜９のいずれかに記載の支持体。
（項目１１）
前記基部は、開口部内に受け取られるために構成されている支柱を含むまたは備える、項目１〜１０のいずれかに記載の支持体。
（項目１２）
ガイドピンを受け取るために前記基部内に配列されている陥凹をさらに備える、項目１〜１１のいずれかに記載の支持体。
（項目１３）
構造の陥凹内への受取のために前記基部から突出するガイドピンをさらに備える、項目１〜１１のいずれかに記載の支持体。
（項目１４）
遠心分離機システムであって、
中心軸に沿ってスピンするように構成されている遠心分離機ボウルと、
最初に前記遠心分離機ボウルの中心から前記中心軸に沿って突出する管と、
前記管に沿って配列されている少なくとも１つの軸受であって、前記管は、前記軸受の中心内に配列されるように構成されている、少なくとも１つの軸受と、
前記遠心分離機ボウルの少なくとも一部を囲繞する支持アームまたは構造と、
項目１〜１３のうちの１項および／または別の項に記載の少なくとも１つの支持体であって、前記少なくとも１つの支持体は、少なくとも前記支持アーム上に配列され、前記少なくとも１つの支持体のそれぞれは、前記遠心分離機ボウルが回転すると、前記管が前記軸受内で回転し、前記軸受の外側部分が前記支持体に添着されるように、前記管および軸受のうちの少なくとも１つを受け取るように構成されている、少なくとも１つの支持体と
を備える、遠心分離機システム。
（項目１５）
管を遠心分離機システム内に接続するための方法であって、
遠心分離機ボウルを有する遠心分離機システムを提供することと、
管であって、その上に配列される少なくとも１つの軸受がその上に配列されている管を提供することと、
項目９〜１３のいずれかに記載の支持体を提供することと、
各軸受を前記支持体の前記斜面および／または面取り面の側面に整合させることと、
前記軸受の縁が前記受取区域内に受け取られるまで、前記軸受の側面が前記斜面および／または面取り面に沿って進むように、各軸受を前記受取区域の中に押動および／または引動することと
を含む、方法。
（項目１６）
軸受支持体であって、
一対の突起と、
前記対の突起間の受取区域と、
前記受取区域に向かって突出する磁石開口と、
前記磁石開口内に配置されている磁石と
を備える、軸受支持体。
（項目１７）
前記磁石は、前記対の突起間に位置する、項目１６に記載の軸受支持体。
（項目１８）
前記磁石は、前記対の突起間の中間に位置する、項目１６〜１７のいずれかに記載の軸受支持体。
（項目１９）
前記受取区域の境界を画定する周界表面をさらに備え、前記周界表面は、前記対の突起の各突起の内部表面を含み、前記磁石開口は、前記対の突起間に延在する前記周界表面の一部上に位置する、項目１６〜１８のいずれかに記載の軸受支持体。
（項目２０）
前記軸受支持体は、第１の開放端部および第２の開放端部を備える、項目１６〜１９のいずれかに記載の軸受支持体。
（項目２１）
前記軸受支持体は、軸受が前記第１の開放端部を通して前記受取区域内に導かれることのみを可能にするように構成されている、項目２０に記載の軸受支持体。
（項目２２）
前記対の突起の各突起は、前記第１の開放端部および第２の開放端部の間に延在する、項目２０〜２１のいずれかに記載の軸受支持体。
（項目２３）
前記対の突起の端部表面は、集合的に、前記受取区域につながる開口を画定し、前記開口の有効直径は、前記第２の開放端部の方向に進むにつれて徐々に減少させられる、項目２０〜２２のいずれかに記載の軸受支持体。
（項目２４）
前記対の突起の各前記突起の前記端部表面は、球状形状である、項目２３に記載の軸受支持体。
（項目２５）
前記軸受支持体は、第１の開放端部を備え、前記対の突起の端部表面は、集合的に、前記受取区域に向かって延在する開口を画定し、前記開口の有効直径は、前記受取区域の方向に進むにつれて徐々に減少させられる、項目１６〜１９のいずれかに記載の軸受支持体。
（項目２６）
前記対の突起の各前記突起の前記端部表面は、球状形状である、項目２５に記載の軸受支持体。
（項目２７）
前記軸受支持体は、第１の開放端部と、反対に配置されている第２の開放端部とを備え、前記受取区域は、前記第１の開放端部と前記第２の端部との間に位置し、第１の基準軸は、前記第１の開放端部の中心および前記第２の端部の中心を通って延在し、前記第１の基準軸は、前記対の突起と平行であり、前記軸受支持体は、前記第１の開放端部から前記第２の開放端部に向かって進むにつれて前記基準軸に向かって傾斜する第１の表面を備える、項目１６〜１９のいずれかに記載の軸受支持体。
（項目２８）
前記第１の表面は、軸受を前記受取区域に向かって導くように配向されている、項目２７に記載の軸受支持体。
（項目２９）
前記軸受支持体は、第１の開放端部を備え、前記第１の開放端部は、前記受取区域から離間され、傾斜されている第１の表面を備える、項目１６〜１９のいずれかに記載の軸受支持体。
（項目３０）
前記第１の表面の傾斜は、軸受を前記受取区域に向かって導くように配向されている、項目２９に記載の軸受支持体。
（項目３１）
前記第１の表面は、前記第１の開放端部から前記受取区域に向かって進むにつれて内向きに傾斜されている、項目２９〜３０のいずれかに記載の軸受支持体。
（項目３２）
軸受スロットをさらに備える、項目１６〜３１のいずれかに記載の軸受支持体。
（項目３３）
前記磁石開口は、前記軸受スロットと交差する、項目３２に記載の軸受支持体。
（項目３４）
前記磁石は、前記軸受スロットと整合されている、項目３２〜３３のいずれかに記載の軸受支持体。
（項目３５）
前記磁石は、前記軸受スロットの下方に位置付けられる、項目３２〜３４のいずれかに記載の軸受支持体。
（項目３６）
前記軸受スロットは、前記第１および第２の突起間に位置する、項目３２〜３５のいずれかに記載の軸受支持体。
（項目３７）
前記軸受支持体はさらに、前記受取区域の境界を画定する周界表面を備え、前記周界表面は、前記対の突起の各突起の内部表面を含み、前記軸受スロットは、前記対の突起間に延在する前記周界表面の一部上に位置する、項目３２〜３６のいずれかに記載の軸受支持体。
（項目３８）
軸受および項目３２〜３７のいずれかに記載の軸受支持体を備える軸受アセンブリであって、前記軸受の上側部分が前記軸受スロットの外側に配置されるように、前記軸受の下側部分のみが前記軸受スロット内に配置される、軸受アセンブリ。
（項目３９）
前記軸受支持体はさらに、段部を備え、前記軸受の前記上側部分の裏側は、前記段部に対して配置される、項目３８に記載の軸受アセンブリ。
（項目４０）
前記軸受支持体は、反対に配置されている第１の開放端部および第２の開放端部を備え、前記段部は、前記軸受が前記第２の開放端部を通して前記受取区域内に導かれることを妨げる、項目３９に記載の軸受アセンブリ。
（項目４１）
遠心分離機システムであって、
フレームと、
前記フレームと相互接続され、前記フレームと連動して回転可能である遠心分離機ボウルと、
前記遠心分離機ボウルから延在する管と、
第１の軸受であって、前記管は、前記第１の軸受を通って延在し、前記第１の軸受は、項目１６〜４０のいずれかに記載の軸受支持体内に配置され、前記軸受支持体は、前記フレームに搭載される、第１の軸受と
を備える、遠心分離機システム。
【図面の簡単な説明】
【０００８】
本開示のいくつかの実施形態による、デバイス、方法、およびシステムの原理および動作は、図面および以下の説明を参照してより深く理解され得る。これらの図面は、例示目的のためだけに与えられ、限定を意味するものではない。図面は、種々の実施形態を図示する。
【０００９】
【図１Ａ】図１Ａ−Ｄは、それぞれ、いくつかの実施形態による、断面図、分解正面図、分解等角図、および分解側面図における、軸受支持体ならびに／またはクランプの図示である。
【図１Ｂ】図１Ａ−Ｄは、それぞれ、いくつかの実施形態による、断面図、分解正面図、分解等角図、および分解側面図における、軸受支持体ならびに／またはクランプの図示である。
【図１Ｃ】図１Ａ−Ｄは、それぞれ、いくつかの実施形態による、断面図、分解正面図、分解等角図、および分解側面図における、軸受支持体ならびに／またはクランプの図示である。
【図１Ｄ】図１Ａ−Ｄは、それぞれ、いくつかの実施形態による、断面図、分解正面図、分解等角図、および分解側面図における、軸受支持体ならびに／またはクランプの図示である。
【００１０】
【図２Ａ】図２Ａ−Ｃは、それぞれ、いくつかの実施形態による、断面図、および分解正面図、分解等角図における、軸受支持体および／またはクランプの図示である。
【図２Ｂ】図２Ａ−Ｃは、それぞれ、いくつかの実施形態による、断面図、および分解正面図、分解等角図における、軸受支持体および／またはクランプの図示である。
【図２Ｃ】図２Ａ−Ｃは、それぞれ、いくつかの実施形態による、断面図、および分解正面図、分解等角図における、軸受支持体および／またはクランプの図示である。
【００１１】
【図３Ａ】図３Ａ−Ｃは、それぞれ、いくつかの実施形態による、断面図、分解正面図、および分解等角図における、軸受支持体および／またはクランプの図示である。
【図３Ｂ】図３Ａ−Ｃは、それぞれ、いくつかの実施形態による、断面図、分解正面図、および分解等角図における、軸受支持体および／またはクランプの図示である。
【図３Ｃ】図３Ａ−Ｃは、それぞれ、いくつかの実施形態による、断面図、分解正面図、および分解等角図における、軸受支持体および／またはクランプの図示である。
【００１２】
【図４Ａ】図４Ａ−Ｃは、それぞれ、いくつかの実施形態による、断面図、分解等角図、および分解正面図における、軸受支持体および／またはクランプの図示である。
【図４Ｂ】図４Ａ−Ｃは、それぞれ、いくつかの実施形態による、断面図、分解等角図、および分解正面図における、軸受支持体および／またはクランプの図示である。
【図４Ｃ】図４Ａ−Ｃは、それぞれ、いくつかの実施形態による、断面図、分解等角図、および分解正面図における、軸受支持体および／またはクランプの図示である。
【００１３】
【図５Ａ】図５Ａ−Ｃは、それぞれ、いくつかの実施形態による、断面図、分解正面図、および分解等角図における、軸受支持体および／またはクランプの図示である。
【図５Ｂ】図５Ａ−Ｃは、それぞれ、いくつかの実施形態による、断面図、分解正面図、および分解等角図における、軸受支持体および／またはクランプの図示である。
【図５Ｃ】図５Ａ−Ｃは、それぞれ、いくつかの実施形態による、断面図、分解正面図、および分解等角図における、軸受支持体および／またはクランプの図示である。
【００１４】
【図６Ａ】図６Ａ−Ｃは、それぞれ、いくつかの実施形態による、正面図、分解等角図、および分解側面図における、軸受支持体および／またはクランプの図示である。
【図６Ｂ】図６Ａ−Ｃは、それぞれ、いくつかの実施形態による、正面図、分解等角図、および分解側面図における、軸受支持体および／またはクランプの図示である。
【図６Ｃ】図６Ａ−Ｃは、それぞれ、いくつかの実施形態による、正面図、分解等角図、および分解側面図における、軸受支持体および／またはクランプの図示である。
【００１５】
【図７Ａ】図７Ａ−Ｄは、それぞれ、いくつかの実施形態による、断面図、分解等角図、および分解正面図、および分解側面図における、軸受支持体および／またはクランプの図示である。
【図７Ｂ】図７Ａ−Ｄは、それぞれ、いくつかの実施形態による、断面図、分解等角図、および分解正面図、および分解側面図における、軸受支持体および／またはクランプの図示である。
【図７Ｃ】図７Ａ−Ｄは、それぞれ、いくつかの実施形態による、断面図、分解等角図、および分解正面図、および分解側面図における、軸受支持体および／またはクランプの図示である。
【図７Ｄ】図７Ａ−Ｄは、それぞれ、いくつかの実施形態による、断面図、分解等角図、および分解正面図、および分解側面図における、軸受支持体および／またはクランプの図示である。
【００１６】
【図８Ａ】図８Ａは、軸受支持体の別の実施形態の側面図である。
【００１７】
【図８Ｂ】図８Ｂは、図８Ａの軸受支持体の装填端部の端面図である。
【００１８】
【図８Ｃ】図８Ｃ−８Ｅは、図８Ａの軸受支持体の装填端部の斜視図であり、軸受支持体の受取区域内に位置する軸受スロットおよび／または磁石開口を図示する。
【図８Ｄ】図８Ｃ−８Ｅは、図８Ａの軸受支持体の装填端部の斜視図であり、軸受支持体の受取区域内に位置する軸受スロットおよび／または磁石開口を図示する。
【図８Ｅ】図８Ｃ−８Ｅは、図８Ａの軸受支持体の装填端部の斜視図であり、軸受支持体の受取区域内に位置する軸受スロットおよび／または磁石開口を図示する。
【００１９】
【図８Ｆ】図８Ｆは、図８Ａの軸受支持体の非装填端部の斜視図である。
【００２０】
【図９】図９は、いくつかの実施形態による、遠心分離機システムの等角図である。
【００２１】
【図９Ａ】図９Ａは、図９による、遠心分離機システムの別の斜視図である。
【００２２】
【図９Ｂ】図９Ｂは、図９による、遠心分離機システムの追加の構成要素の切断図である。
【発明を実施するための形態】
【００２３】
（詳細な説明）
図１Ａ−Ｄは、本開示のいくつかの実施形態による、軸受支持体１０の種々の図を図示する。示されるように、軸受支持体１０は、概して、基部１２とともに、一対の対向および離間される突起１４を含み、突起１４は、受取区域１６をその間に確立する。軸受支持体１０は、支柱または搭載支柱１８を有し、これは、（例えば）遠心分離機の構造部材（または他の筐体要素）内に受け取られ、（例えば）戻り止め２４、ねじ、または摩擦嵌合を含む固定手段を含むことができる。
【００２４】
軸受支持体１０の基部１２はまた、ダウエルピン２０を含むことができ、これは、陥凹内に添着され（代替として、突起が、基部１２の中に機械加工／形成されることができる）、次いで、軸受支持体１０が搭載される構造部材によって受け取られる（これは、軸受支持体１０が搭載支柱１８の直線軸周りに特定の量だけ枢動することを可能にするために使用されることができる）。
【００２５】
軸受装填区域２８が、軸受の縁がその中に受け取られるように陥凹されてもよい。軸受および／または管−軸受の組み合わせの効率的かつ迅速な搭載を可能にする他の特徴は、１つまたは複数の面取り面２６および１つまたは複数の「斜面」を含み、これは、軸受支持体１０の受取区域１６内に軸受および／または管を導くことを促進し得る。記載される戻り止め２４（例えば、ボール戻り止め）は、軸受支持体１０内の定位置に軸受を係止／維持することを補助するために使用されてもよく、軸受支持体１０の戻り止め開口２２内に配置されてもよい。
【００２６】
図２Ａ−Ｃ、３Ａ−Ｃ、および４Ａ−Ｃは、本開示のいくつかの実施形態を図示する。これらの実施形態では、図１Ａ−Ｄのものと同様に、支柱と、受取区域を生成する２つの突起と、ダウエルピン／機能性とが、存在する。加えて、実施形態は、２つの突起と受取区域との間の開口部に橋架するアームを含む（いくつかの実施形態では、アームは、開口部に実質的に橋架する）。アームは、突起上の開口部内に受け取られるピンを用いて、一方の突起上で枢動してもよく、また、ばね（ボルト／リベットを介して添着される）を介して、ばね留めされてもよい。さらなる特徴は、磁石を含み、磁石は、軸受を受取区域（および／またはその中の軸受陥凹）の中に誘導することを支援するために使用され得るだけでなく、軸受が定位置に適切にあることを保証する可聴「クリック音」も提供し得る（前述のボール戻り止め２４も、類似機能を果たすことができる）。
【００２７】
図２Ａ−Ｃの実施形態では、軸受支持体３０は、概して、基部３２と、一対の対向および離間される突起３４であって、受取区域３６をその間に確立する一対の対向および離間される突起３４とともに、支柱１８およびピン２０の前述の配列を含む。軸受支持体３０はさらに、２つの突起３４の上側部分と受取区域３６との間の開口部または空間に橋架する維持アーム４２を含む。維持アーム４２は、突起３４の一方の上側端部上の開口部内に受け取られるピン４８を用いて、一方の突起３４上で枢動してもよく、また、ばね４６（適切な締結具５０を介して添着される）を介して、ばね留めされてもよい。軸受支持体３０はさらに、磁石４０が位置付けられる磁石開口３８を含む。
【００２８】
図３Ａ−Ｃおよび４Ａ−Ｃに開示されるような実施形態はまた、ばね／アーム係止部を含んでもよく、これは、受取区域に橋架するアームが定位置に少なくとも実質的に係止されることを保証する。例えば軸受を支持体から除去することを可能にするようにアームを移動させるために、解放ピンもまた含まれてもよく、解放ピンは、押圧される（またはピンが設定される方法に応じて、引動される）と、ばね係止部を解放し、アームが開放することを可能にする。そのような実施形態の種々の側面は、図４Ａ−Ｃに図示される。
【００２９】
図３Ａ−Ｃの実施形態による、軸受支持体３０’は、図２Ａ−Ｃに関連して上で議論されたものに対応する特徴とともに、ばね係止部５２を含み、ばね係止部５２は、適切な締結具５４によって、突起３４の一方に固着され得、受取区域３６に橋架する維持アーム４２が定位置に少なくとも実質的に係止されることを保証する。例えば軸受を軸受支持体３０’から除去することを可能にするように維持アーム４２を移動させるために、解放ピン５６もまた含まれてもよく、解放ピン５６は、押圧される（またはピン５６が設定される方法に応じて、引動される）と、ばね係止部５２を解放し、維持アーム４２が開放することを可能にする。
【００３０】
図４Ａ−Ｃの実施形態による、軸受支持体３０’’は、図２Ａ−Ｃに関連して上で議論されたものに対応する特徴とともに、維持アーム４２を閉鎖位置に維持する（図３Ａ−Ｃに開示されるものと）異なる機構を含み、その機構は、係止アーム５２’、関連付けられた締結具５４’、および係止ピン解放部５６’の形態である。
【００３１】
図５Ａ−Ｃは、本開示のさらに他の実施形態を図示する。そのような実施形態では、以前に説明および図示されたものと同様に、軸受支持体６０は、基部６２と、受取区域６６を格納する、２つの突起６４と、軸受装填区域６８とを含み、これらの突起６４は、再び、対向関係に配置され、相互から離間される。軸受支持体６０はまた、支柱１８およびピン２０の前述の配列を利用する。しかしながら、これらの実施形態では、ボール戻り止め２４（関連付けられた戻り止め開口２２）および磁石４０（関連付けられた磁石開口３８）が両方とも、含まれてもよく、一方または両方が、軸受を軸受支持体６０内の定位置に誘導すること、および／または実質的に添着することの両方の役割を果たすことができ、かつ／または軸受が受け取られたことの可聴確認のためにも使用されてもよい。
【００３２】
図６Ａ−Ｃに示される実施形態は、支持体のなおもさらなる実施形態であり、以前の実施形態に説明されるものと類似の特徴および機能性を含む。そのような実施形態では、以前に説明および図示されたものと同様に、軸受支持体７０は、基部７２と、受取区域７６を格納する２つの突起７４とを含み、これらの突起７４は、再び、対向関係に配置され、相互から離間される。軸受支持体７０はまた、支柱１８およびピン２０の前述の配列とともに、磁石４０および関連付けられた磁石開口３８を利用する。加えて、これらの実施形態は、突起７４のうちの少なくとも１つの少なくとも一部を囲繞するように構成される円周方向基部支持体７８を例示することを支援する。加えて、これらの実施形態では、軸受９０も、図示される（以前の実施形態で使用され得る軸受と同一のタイプ、形状、および形態の軸受であってもよい）。
【００３３】
図７Ａ−Ｄは、本開示による、なおもさらなる実施形態を示す。これらの実施形態は、図５Ａ−Ｃおよび図６Ａ−Ｃのものに類似する。この点、軸受支持体８０は、基部８２と、受取区域８６を格納する２つの突起８４とを含み、これらの突起８４は、再び、対向関係に配置され、相互から離間される。軸受支持体８０はまた、支柱１８およびピン２０の前述の配列とともに、磁石４０および関連付けられた磁石開口３８を利用する。軸受支持体８０はまた、軸受９０を受取区域８６／軸受陥凹／リングの中に誘導することを支援するために使用され得る斜面８８（および／または面取り面）を組み込む。
【００３４】
図８Ａ−８Ｅは、参照番号１００によって識別される軸受支持体のさらに別の実施形態を図示する。軸受支持体１００は、基部１０２と、基部１０２から上向きに延在し、対向関係において相互から離間され、軸受９０のための受取区域１１２を画定する一対の突起１０４とを含む。軸受支持体１００はまた、支柱１０６およびピン１０８の前述の配列を含む。
【００３５】
軸受支持体１００は、軸受９０が軸受支持体１００の開放装填端部１１０のみを通して受取区域１１２内に位置付けられることを必要とするように構成される。軸受９０は、突起１０４の上側部分間の空間を通して受取区域１１２内に導かれることができない（例えば、突起１０４の上側部分間の間隔は、軸受９０の外径より小さく、軸受支持体１００は、その軸受９０のために構成されている）。軸受９０はまた、軸受支持体１００の開放非装填端部１２０を通して受取区域１１２内に導かれることもできない（装填端部１１０および非装填端部１２０は、相互に正反対である）。この点、軸受支持体１００は、突出部または段部１２２を含み、突出部または段部１２２は、内向きに延在し、軸受９０が非装填端部１２０を通して設置されることを妨げる。
【００３６】
軸受支持体１００の装填端部１１０は、一対の面取りされた表面または斜面１１８（例えば、球状形状である）を含む。概して、斜面１１８は、軸受９０の下側部分を受け取るスロット１１４と整合するように、受取区域１１２内に軸受９０を導くことを促進するように配向される。これらの斜面１１８は、いくつかの特徴付けを受ける。斜面１１８は、少なくとも概して、軸受スロット１１４、受取区域１１２、および／または非装填端部１２０の方向に進むにつれて、相互に向かって収束するように説明され得る。斜面１１８は、軸受スロット１１４の方向に傾斜されるようにも説明され得る。
【００３７】
各突起１０４の端部表面は、説明されるような斜面１１８を含んでもよい。これらの斜面１１８は、集合的に、開口を画定するものとして特徴付けられ得る。斜面１１８の構成／配向に基づいて、この開口の有効直径は、受取区域１１２、軸受スロット１１４、および／または非装填端部１２０の方向に進むにつれて、徐々に減少させられる。一方の突起１０４上の斜面１１８は、軸受スロット１１４、受取区域１１２、および／または非装填端部１２０の方向に進むにつれて、反対突起１０４の方向に傾斜するように特徴付けられ得る。基準軸１２４が、装填端部１１０および非装填端部１２０の中心を通って延在してもよく、突起１０４と平行に配置されてもよい。各斜面１１８は、受取区域１１２、軸受スロット１１４、および／または非装填端部１２０の方向に進むにつれて、この基準軸１２４に向かって収束するように特徴付けられ得る。
【００３８】
磁石開口１１６（および、それによって、磁石４０）が、軸受スロット１１４の一部（例えば、軸受スロット１１４の中心部分）の下方に配置される。したがって、磁石開口１１６は、軸受スロット１１４と交差するように特徴付けられ得る。磁石４０は、この磁石開口１１６内に位置付けられ、軸受９０が軸受スロット１１４内に適切に着座されない場合（例えば、軸受９０が、少なくとも部分的に、軸受スロット１１４と整合されるが、軸受スロット１１４内に適切に着座されないとき）、軸受９０を軸受スロット１１４の中に引き込むために十分な引力を発生させるはずである。受取区域１１２のための境界は、２つの突起１０４の内部表面および２つの突起１０４間に延在する表面（集合的に、「周界表面」）によって画定され得る。軸受スロット１１４および磁石開口１１６はそれぞれ、この周界表面と交差するように特徴付けられ得る。さらに、軸受スロット１１４および磁石開口１１６はそれぞれ、受取区域１１２に向かって突出するように特徴付けられ得る。
【００３９】
軸受９０が軸受スロット１１４内に配置されると、軸受９０の下側部分のみが、実際には、軸受スロット１１４内に配置される。すなわち、軸受９０の上側部分は、軸受スロット１１４の外側に配置される（例えば、軸受９０の上側部分は、スロット内に拘束されない）。しかしながら、軸受スロット１１４の上方に延在する軸受９０の部分は、段部１２２に対して配置されてもよい。
【００４０】
図８Ａ−８Ｆの軸受支持体１００は、以下により詳細に議論されるように、遠心分離機システムの回転フレーム上に設置されてもよい。遠心分離が開始されるときに軸受９０が軸受スロット１１４内に適切に着座されていない場合、軸受支持体１００および斜面１１８によって被られる、結果として生じる遠心力は、協働して、軸受９０を軸受スロット１１４に導き得る。磁石４０は、次いで、軸受スロット１１４内に適切に着座されるように、引動力を軸受９０に付与するはずである。
【００４１】
図９は、いくつかの実施形態による、軸受支持体／クランプの使用を図示する。図９は、フレーム２０２（例えば、一対の駆動管アーム）と、ボウルホルダまたはボウル保持プレート２０４と、ボウルホルダ２０４に対して固着され、フレーム２０２およびボウルホルダ２０４の集団回転によって回転される遠心分離機ボウル２１０とを含む、遠心分離機システム２００の例として特徴付けられ得る。駆動管２０８は、遠心分離機ボウル２０６の上部部分から延在し、かつフレーム２０２（例えば、その駆動管アームのうちの１つ）の一部に沿って延在する。示されるように、（例えば、前述の軸受支持体実施形態のいずれかによる）１つまたは複数の支持体／クランプ２１０が、フレーム２０２（例えば、その駆動管アームのうちの１つ）上に位置付けられる。一対の軸受が、駆動管２０８上に搭載され、これらの軸受はそれぞれ、対応する軸受支持体２１０の受取区域によって受け取られる。軸受の外側部分は、定位置に保持される一方、軸受の内側部分は、遠心分離機ボウル２０６がスピンまたは回転するにつれて、駆動管２０８とともに回転し得る。
【００４２】
図９Ａおよび図９Ｂは、図９からの遠心分離機ボウルシステムに関連する追加の図を提示する。遠心分離機システム２００は、遠心分離機システム２００のケーシングまたは外側筐体２２０内に位置する、遠心分離機チャンバ２３０を含んでもよい。遠心分離機チャンバ２３０内に適切に位置付けられるときに遠心分離機ボウル２０６を軸２５０まわりに回転させるために、回転駆動部２４０が、使用される。回転駆動部２４０は、任意の適切なタイプ／構成、例えば、１−オメガ２−オメガスピン技術を利用可能なものであってもよい。
【００４３】
前述のブラケットまたはフレーム２０２およびボウル保持プレート２０４は両方とも、遠心分離機チャンバ２３０内に配置され、回転駆動部２４０によって回転される。遠心分離機ボウル２０６の下側部分は、ボウル保持プレート２０４内に配置され、ボウル保持プレート２０４に着脱可能に固着される。記載される導管または駆動管２０８は、遠心分離機ボウル２０６の上側部分から延在し、フレーム２０２に固着され、フレーム２０２とともに回転し、筐体２２０の下側部分を通って、次いで、遠心分離機チャンバ２３０から延在する。使い捨て循環光療法キットのあるラインまたは管は、この駆動管２０８（例えば、全血を遠心分離機ボウル２０６の中に導くための管、血漿およびバフィーコート等のより低い密度の血液成分を遠心分離機ボウル２０６から導くための管、赤血球等のより高い密度の血液成分を遠心分離機ボウル２０６から導くための管）内に配置されてもよい。回転駆動部２４０は、フレーム２０２およびボウル保持プレート２０４を回転させ、これは、順に、遠心分離機ボウル２０６を遠心分離機チャンバ２３０のための筐体２２０に対して回転させる。遠心分離機ボウル２０６の回転は、遠心分離機ボウル２０６内で（遠心分離機ボウル２０６内の）全血を複数の血液成分（例えば、血漿、バフィーコート、および赤血球）に分離する。
【００４４】
本願の中のいずこかで提示される、特許、特許出願、論文、ウェブページ、書籍等を含むが、それらに限定されない、出版物または他の文書へのあらゆる参照は、参照することによってそれらの全体が本明細書に援用される。
【００４５】
デバイス、システム、および方法の例示的実施形態が、本明細書に説明された。他の場所で記載され得るように、これらの実施形態は、例示目的のためだけに説明され、限定ではない。他の実施形態も、本明細書に含まれる教示から明白であるように、可能性として考えられ、本開示によって網羅される。したがって、本開示の範疇および範囲は、前述の実施形態のいずれかによって限定されるべきではないが、本開示によって支持される請求項およびそれらの均等物に従ってのみ定義されるべきである。さらに、本開示の実施形態は、軸受支持体に対応するあらゆる特徴を含む、任意の他の開示される方法、システム、およびデバイスからのあらゆる要素／特徴をさらに含み得る、方法、システム、およびデバイスを含んでもよい。言い換えると、１つおよび／または別の開示される実施形態からの特徴は、他の開示される実施形態からの特徴と交換可能であり得、これは、ひいては、さらに他の実施形態に対応する。さらに、本開示の実施形態の１つまたは複数の特徴／要素は、除去されるが、依然として、特許可能主題をもたらし得る（したがって、本開示のさらなる実施形態をもたらす）。また、先行技術に存在し得る１つまたは複数の特徴の具体的欠如も、本開示の実施形態のうちのいくつかの範囲内である。そのような実施形態では、特許可能請求項は、例えば、特定の開示される装置、システム、および方法のうちの任意の１つまたは複数のものにおいて、先行技術に教示される１つまたは複数の特徴のそのような欠如を示すために、１つまたは複数の否定的限定を含み得る。
【図１Ａ】
2019084532.tif 000002
【図１Ｂ】
2019084532.tif 000003
【図１Ｃ】
2019084532.tif 000004
【図１Ｄ】
2019084532.tif 000005
【図２Ａ】
2019084532.tif 000006
【図２Ｂ】
2019084532.tif 000007
【図２Ｃ】
2019084532.tif 000008
【図３Ａ】
2019084532.tif 000009
【図３Ｂ】
2019084532.tif 000010
【図３Ｃ】
2019084532.tif 000011
【図４Ａ】
2019084532.tif 000012
【図４Ｂ】
2019084532.tif 000013
【図４Ｃ】
2019084532.tif 000014
【図５Ａ】
2019084532.tif 000015
【図５Ｂ】
2019084532.tif 000016
【図５Ｃ】
2019084532.tif 000017
【図６Ａ】
2019084532.tif 000018
【図６Ｂ】
2019084532.tif 000019
【図６Ｃ】
2019084532.tif 000020
【図７Ａ】
2019084532.tif 000021
【図７Ｂ】
2019084532.tif 000022
【図７Ｃ】
2019084532.tif 000023
【図７Ｄ】
2019084532.tif 000024
【図８Ａ】
2019084532.tif 000025
【図８Ｂ】
2019084532.tif 000026
【図８Ｃ】
2019084532.tif 000027
【図８Ｄ】
2019084532.tif 000028
【図８Ｅ】
2019084532.tif 000029
【図８Ｆ】
2019084532.tif 000030
【図９】
2019084532.tif 000031
【図９Ａ】
2019084532.tif 000032
【図９Ｂ】
2019084532.tif 000033
【外国語明細書】
2019084532000001.pdf